(57)【要約】【課題】ＤＭＤのＯＮ状態のマイクロミラー以外で反射した不要光による投射映像のコントラスト低下を抑制することが可能なプロジェクタを提供する。【解決手段】ＤＭＤ９とプロジェクションレンズ１０との間のＤＭＤ９の近傍に、ＤＭＤ９のＯＮ状態にあるマイクロミラーで反射された光を遮ることなく、該光以外のＤＭＤ９で反射された不要な光を遮るようにマスク１１を設け、ＤＭＤ９とプロジェクションレンズ１０との間のマスク１１よりプロジェクションレンズ１０側にマスク１１から離間させて、ＤＭＤ９のＯＮ状態のマイクロミラーで反射された光を遮ることなく、マスク１１のエッジ１１ｅで反射された光を遮るようにマスク１２を設ける。【選択図】図２Ｃ
2007171813.tif 000002
【特許請求の範囲】
【請求項１】
光源から発せられた光をカラーホィールを通して１つのＤＭＤに照射し、該ＤＭＤのマイクロミラーで反射された光をプロジェクションレンズを通してスクリーンに投射して映像を表示するプロジェクタにおいて、
前記ＤＭＤは、ＯＮ状態にある前記マイクロミラーで反射された光が前記プロジェクションレンズに入射し、ＯＦＦ状態にある前記マイクロミラーで反射された光および前記マイクロミラー以外の部分で反射された光が前記プロジェクションレンズの一側方へ向かって行ってプロジェクションレンズに入射しないように設けられ、
前記ＤＭＤと前記プロジェクションレンズとの間のＤＭＤの近傍でかつプロジェクションレンズに対して前記一側方側へずれた位置に、ＯＮ状態にある前記マイクロミラーで反射された光を遮ることなく、該光以外のＤＭＤで反射された不要な光を遮るように第１のマスクを設け、
前記ＤＭＤと前記プロジェクションレンズとの間の前記第１のマスクよりプロジェクションレンズ側で第１のマスクから離間しかつプロジェクションレンズに対して前記一側方側へずれた位置に、ＯＮ状態の前記マイクロミラーで反射された光を遮ることなく、第１のマスクのエッジで反射された光を遮るように第２のマスクを設け、
前記第１のマスクは、前記ＤＭＤから前記プロジェクションレンズの瞳までの距離の４分の１以内の間隔でＤＭＤと離間し、かつ前記一側方と反対側にある前記プロジェクションレンズの瞳のエッジと前記第２のマスクのエッジとを結ぶ直線より、前記一側方側に配置されていることを特徴とするプロジェクタ。
【請求項２】
光源から発せられた光をＤＭＤに照射し、該ＤＭＤのマイクロミラーで反射された光をプロジェクションレンズを通してスクリーンに投射して映像を表示するプロジェクタにおいて、
前記ＤＭＤと前記プロジェクションレンズとの間のＤＭＤの近傍に設けられ、ＯＮ状態にある前記マイクロミラーで反射された光を遮ることなく、該光以外のＤＭＤで反射された不要な光を遮る第１のマスクと、
前記ＤＭＤと前記プロジェクションレンズとの間の前記第１のマスクよりプロジェクションレンズ側に第１のマスクから離間して設けられ、ＯＮ状態の前記マイクロミラーで反射された光を遮ることなく、第１のマスクのエッジで反射された光を遮る第２のマスクと、を備えたことを特徴とするプロジェクタ。
【請求項３】
請求項２に記載のプロジェクタにおいて、
前記第１のマスクを、前記プロジェクションレンズの前記マスクと反対側のエッジと、前記第２のマスクのプロジェクションレンズ側のエッジとを結ぶ直線より、第２のマスクおよびプロジェクションレンズからずれて行く方に配置したことを特徴とするプロジェクタ。
【請求項４】
請求項２または請求項３に記載のプロジェクタにおいて、
前記第１のマスクを、前記ＤＭＤから前記プロジェクションレンズの瞳までの距離の４分の１以内の間隔でＤＭＤと離間する位置に配置したことを特徴とするプロジェクタ。
【発明の詳細な説明】
【技術分野】
【０００１】
本発明は、ＤＭＤ（Digital  Micromirror Device）を用いたＤＬＰ（Digital Light Processing）方式のプロジェクタに関するものである。
【背景技術】
【０００２】
図３は、従来の上記方式のプロジェクタ５０の概略構造を示す図である。プロジェクタ５０の本体１内には、光学系、制御系、空調系、および電源系のユニットがそれぞれ設けられている。図では、光学系ユニットのみを図示している。２はランプとリフレクタから成る光源、３はマグネシウム製の筐体であるエンジンキャスケットである。図ではエンジンキャスケット３の上部が開口されているように見えるが、これは内部構造を示すためであり、実際には図示しないカバーにより塞がれている。４はエンジンキャスケット３の側部に設けられた孔と該孔内に装着されたレンズ等から成る入光口であって、光源２から発せられた白色光をエンジンキャスケット３内に入光させる。５は赤、緑、青のカラーフィルタが円周方向に交互に配列された円板から成るカラーホイールであって、図示しないモータによって回転して、入光口４から入光された白色光をカラーフィルタのいずれかを透過させて赤色光、緑色光、青色光に分離する。６は内面にミラーが貼り付けられた導光筒であって、カラーホイール５で分離された各色光を分散しないように導く。７は導光筒６によって導かれた光を反射するミラー、８はミラー７で反射された光を屈曲させる等して該光の光束を整えるリレーレンズである。９は半導体メモリ上に数十万個の微小なマイクロミラー（図示省略）が集積されたＤＭＤであって、メモリセルが割り当てられた個々のマイクロミラーにより画素が構成される。ＤＭＤ９のマイクロミラーは、±１２°の２方向に傾動することができる構造になっていて、メモリ値に応じて静電吸引力によりいずれかの方向に傾動し、傾動方向によってＯＮ／ＯＦＦの２値の状態をとる。１３はＤＭＤ９を実装した基板、１４はＤＭＤ９で生じた熱を放熱するヒートシンクである。１０は軸方向に伸縮可能な筒と該筒内に装着された複数枚のレンズ等から成るプロジェクションレンズであって、ＤＭＤ９から出射する光をスクリーン２０上に投射する。
【０００３】
矢印で示すように、光源２から発せられた白色光は入光口４を通り、カラーホィール５のいずれかのカラーフィルタを透過して、赤色光、緑色光、青色光に分離される。そして、各色光は導光筒６に導かれ、プロジェクションレンズ１０の下側をくぐって、ミラー７で所定角度上向きに反射し、リレーレンズ８に入射する。リレーレンズ８を透過した光はＤＭＤ９のマイクロミラーに照射される。このとき、マイクロミラーがＯＮ状態にあるときは、該ミラーで所定角度上向きに反射された光が、プロジェクションレンズ１０に取り込まれてスクリーン２０に投射される。また、マイクロミラーがＯＦＦ状態にあるときは、該ミラーでＯＮ状態のときよりも大きな所定角度で上向きに反射された光が、プロジェクションレンズ１０の上方へ向けられて該レンズ１０に取り込まれずスクリーン２０に投射されない。つまり、プロジェクタ５０は、入力される映像信号等に基づいてＤＭＤ９の個々のマイクロミラーの動作状態をＯＮ／ＯＦＦに制御することにより、ＤＭＤ９に映像を形成して、該映像をプロジェクションレンズ１０を通してスクリーン２０に投射して表示する。
【０００４】
上記のようなプロジェクタ５０では、リレーレンズ８を透過した光が、ＤＭＤ９の表面（光が照射される面）を覆っているカバーガラス（図示省略）やマイクロミラーの周囲の部分（図示省略）といった、ＤＭＤ９のマイクロミラー以外の部分で反射して、ＤＭＤ９とプロジェクションレンズ１０との間で発散し、プロジェクションレンズ１０へ入射することがある。また、ＤＭＤ９のＯＦＦ状態にあるマイクロミラーで反射した光が、ＤＭＤ９とプロジェクションレンズ１０との間で発散し、プロジェクションレンズ１０へ入射することがある。そして、このようにＤＭＤ９のＯＮ状態のマイクロミラー以外で反射した不要な光が、ＤＭＤ９とプロジェクションレンズ１０との間で発散し、プロジェクションレンズ１０に入射することにより、プロジェクションレンズ１０からスクリーン２０へ投射した映像のコントラストが低下するという問題がある。
【０００５】
一方、従来から投射映像のコントラスト性能等を向上させる技術として、下記の特許文献１〜３に開示されているものがある。特許文献１では、投射型表示装置において、光源とＤＭＤとの間にある照明光学系の光路内の絞り位置、瞳位置、またはＤＭＤへ光束を投射するレンズの出口側に、照明光学系の光束の片側断面の一部を遮光する遮光板を挿抜可能に設けることにより、ＤＭＤのＯＦＦ状態のマイクロミラーでの反射光やマイクロミラーの表面以外の部分での反射光やマイクロミラーが０°付近の傾き状態にある瞬間の反射光といった不要光が投影光学系に入射するのを防止して、投射映像のコントラスト性能の向上を図っている。特許文献２では、投射型表示装置において、リレーレンズとＤＭＤとの間に、ＤＭＤのマイクロミラー同士のギャップおよびマイクロミラーの表面にあるミラー支持孔といった乱反射部への光の入射を防止する遮蔽部を有するマスクを設けることにより、該乱反射部での反射を抑制して、投射映像のコントラスト性能の向上を図っている。特許文献３では、投射型表示装置において、ＤＭＤを、入射光の主光軸と垂直な面における垂直なＸ、Ｙ方向のうちＸ方向よりＹ方向で大きな入射最大光線角度の入射光を光変調可能に構成し、照明装置を、出射光の主光軸と垂直な面における垂直な第１、第２の方向のうち第２の方向より第１の方向で入射最大光線角度が大きくなるように構成し、かつＤＭＤのＸ方向に第２の方向が対応するように配置することにより、投射映像の明るさの向上を図っている。
【０００６】
【特許文献１】特開２００４−２５８４３９号公報
【特許文献２】特開２００５−１４８４６９号公報
【特許文献３】特開２００４−２５２２０５号公報
【発明の開示】
【発明が解決しようとする課題】
【０００７】
しかしながら、上述した特許文献１〜３の技術では、ＤＭＤ９のカバーガラスやマイクロミラーの周囲部分といったマイクロミラー以外の部分で反射した光について何ら考慮されておらず、該反射光のＤＭＤ９とプロジェクションレンズ１０の間での発散やプロジェクションレンズ１０への入射を防止することはできない。また、特許文献２、３の技術では、ＤＭＤ９のＯＦＦ状態にあるマイクロミラーで反射した光についても何ら考慮されておらず、該反射光のＤＭＤ９とプロジェクションレンズ１０の間での発散やプロジェクションレンズ１０への入射も防止することはできない。よって、このようなＤＭＤ９のＯＮ状態のマイクロミラー以外で反射した不要光による投射映像のコントラスト低下を抑制することはできない。
【０００８】
本発明は、上記問題点を解決するものであって、その課題とするところは、ＤＭＤのＯＮ状態のマイクロミラー以外で反射した不要光による投射映像のコントラスト低下を抑制することが可能なプロジェクタを提供することにある。
【課題を解決するための手段】
【０００９】
本発明は、光源から発せられた光をＤＭＤに照射し、該ＤＭＤのマイクロミラーで反射された光をプロジェクションレンズを通してスクリーンに投射して映像を表示するプロジェクタにおいて、ＤＭＤとプロジェクションレンズとの間のＤＭＤの近傍に設けられ、ＯＮ状態にあるマイクロミラーで反射された光を遮ることなく、該光以外のＤＭＤで反射された不要な光を遮る第１のマスクと、ＤＭＤとプロジェクションレンズとの間の第１のマスクよりプロジェクションレンズ側に第１のマスクから離間して設けられ、ＯＮ状態のマイクロミラーで反射された光を遮ることなく、第１のマスクのエッジで反射された光を遮る第２のマスクとを備える。
【００１０】
このように、ＤＭＤとプロジェクションレンズとの間に第１、第２のマスクを設けると、光源から発せられてＤＭＤのカバーガラスやマイクロミラーの周囲部分といったマイクロミラー以外で反射した不要光をＤＭＤ近傍の第１のマスクで遮り、さらに該第１のマスクのエッジで反射された光を第２のマスクで遮って、該不要光のＤＭＤとプロジェクションレンズとの間での発散およびプロジェクションレンズへの入射を防止することができる。また、ＤＭＤのＯＦＦ状態のマイクロミラーで反射した不要光を第１、第２のマスクで遮って、該不要光のＤＭＤとプロジェクションレンズとの間での発散およびプロジェクションレンズへの入射を防止することができる。よって、光源から発せられてＤＭＤのＯＮ状態のマイクロミラー以外で反射した不要光によって、投射映像のコントラストが低下するのを抑制することが可能となる。また加えて、ＤＭＤのＯＮ状態のマイクロミラーで反射した光を第１、第２のマスクで遮ることなく、プロジェクションレンズへ入射させることができ、投射映像の品位が劣化するのを回避することが可能となる。
【００１１】
また、本発明では、第１のマスクを、プロジェクションレンズのマスクと反対側のエッジと、第２のマスクのプロジェクションレンズ側のエッジとを結ぶ直線より、第２のマスクおよびプロジェクションレンズからずれて行く方に配置するのが好ましい。
【００１２】
このように第１のマスクを配置すると、ＤＭＤのＯＮ状態のマイクロミラーで反射した光を第１のマスクで全く遮ることなく、プロジェクションレンズへ入射させることができるとともに、第１のマスクのエッジで反射された光を第２のマスクで確実に遮って、ＤＭＤとプロジェクションレンズの間での発散およびプロジェクションレンズへの入射をさせないようにすることができる。
【００１３】
また、本発明では、第１のマスクを、ＤＭＤからプロジェクションレンズの瞳までの距離の４分の１以内の間隔でＤＭＤと離間する位置に配置するのが好ましい。
【００１４】
このように第１のマスクをＤＭＤの近傍に設けると、ＤＭＤのＯＮ状態のマイクロミラー以外で反射した不要光を直ぐに第１のマスクで遮って、確実に発散させないようにすることができる。
【００１５】
さらに、本発明の典型的な実施形態では、光源から発せられた光をカラーホィールを通して１つのＤＭＤに照射し、該ＤＭＤのマイクロミラーで反射された光をプロジェクションレンズを通してスクリーンに投射して映像を表示するプロジェクタにおいて、ＤＭＤは、ＯＮ状態にあるマイクロミラーで反射された光がプロジェクションレンズに入射し、ＯＦＦ状態にあるマイクロミラーで反射された光およびマイクロミラー以外の部分で反射された光がプロジェクションレンズの一側方へ向かって行ってプロジェクションレンズに入射しないように設けられ、ＤＭＤとプロジェクションレンズとの間のＤＭＤの近傍でかつプロジェクションレンズに対して前記一側方側へずれた位置に、ＯＮ状態にあるマイクロミラーで反射された光を遮ることなく、該光以外のＤＭＤで反射された不要な光を遮るように第１のマスクを設け、ＤＭＤとプロジェクションレンズとの間の第１のマスクよりプロジェクションレンズ側で第１のマスクから離間しかつプロジェクションレンズに対して上記一側方側へずれた位置に、ＯＮ状態のマイクロミラーで反射された光を遮ることなく、第１のマスクのエッジで反射された光を遮るように第２のマスクを設け、第１のマスクは、ＤＭＤからプロジェクションレンズの瞳までの距離の４分の１以内の間隔でＤＭＤと離間し、かつ上記一側方と反対側にあるプロジェクションレンズの瞳のエッジと第２のマスクのエッジとを結ぶ直線より、上記一側方側に配置されている。
【００１６】
このようにすると、光源から発せられてＤＭＤのカバーガラスやマイクロミラーの周囲部分といったマイクロミラー以外で反射した不要光がプロジェクションレンズの一側方へ向かって行くので、該不要光をＤＭＤ近傍の第１のマスクで遮り、さらに該第１のマスクのエッジで反射された光を第２のマスクで遮って、該不要光のＤＭＤとプロジェクションレンズとの間での発散およびプロジェクションレンズへの入射を確実に防止することができる。また、ＤＭＤのＯＦＦ状態のマイクロミラーで反射して一側方へ向かって行く不要光を第１、第２のマスクで遮って、該不要光のＤＭＤとプロジェクションレンズとの間での発散およびプロジェクションレンズへの入射を確実に防止することができる。よって、光源から発せられてＤＭＤのＯＮ状態のマイクロミラー以外で反射した不要光によって、投射映像のコントラストが低下するのを確実に抑制することが可能となる。また加えて、ＤＭＤのＯＮ状態のマイクロミラーで反射した光を第１、第２のマスクで遮ることなく、プロジェクションレンズへ確実に入射させることができ、投射映像の品位が劣化するのを確実に回避することが可能となる。
【発明の効果】
【００１７】
本発明によれば、光源から発せられてＤＭＤのＯＮ状態のマイクロミラー以外で反射した不要光を第１、第２のマスクで遮って、ＤＭＤとプロジェクションレンズとの間での発散およびプロジェクションレンズへの入射をさせないようにすることができるので、該不要光による投射映像のコントラスト低下を抑制することが可能となる。
【発明を実施するための最良の形態】
【００１８】
以下、本発明の実施形態につき図面を参照して説明する。図１は、本発明の実施形態に係るプロジェクタ１００の概略構造を示す図である。図１では、前述した図３のプロジェクタ５０と同一部分には同一符号を付してあり、ここでの重複する説明は省略する。本実施形態のプロジェクタ１００と従来のプロジェクタ５０の相違点は、ＤＭＤ９とプロジェクションレンズ１０との間に光を遮る２つのマスク１１、１２を設けている点である。
【００１９】
図２Ａ〜図２Ｃは、プロジェクタ１００の要部を示す図であって、エンジンキャスケット３内を図１の左方から見た状態を示している。図２Ａ等において、９ａはＤＭＤ９の中央のマイクロミラーが設けられている部分、９ｂはそのマイクロミラー部分９ａの周囲部分、９ｃはマイクロミラー部分９ａと周囲部分９ｂの光が照射される側（ＤＭＤ９の表面）を覆うカバーガラスである。１０ａはプロジェクションレンズ１０のＤＭＤ９側にある瞳である。ＤＭＤ９は、ＤＭＤ９より下方に設置されているリレーレンズ８を透過して、ＯＮ状態にあるマイクロミラーで反射した光が、ＤＭＤ９より上方に設置されているプロジェクションレンズ１０に入射し、ＯＦＦ状態にあるマイクロミラーで反射した光、およびマイクロミラー以外の部分、即ち周囲部分９ｂやカバーガラス９ｃで反射した光が、プロジェクションレンズ１０の上方へ向かって行ってプロジェクションレンズ１０に入射しないように配置されている。
【００２０】
マスク１１、１２は、全面を黒色塗装されたアルミニウム製の板から構成されていて、耐候性、特に高い耐熱性、非透光性、および光吸収性を有している。マスク１１は、ＤＭＤ９とプロジェクションレンズ１０との間のＤＭＤ９の近傍でかつプロジェクションレンズ１０に対して上方へずれた位置に、ＯＮ状態のマイクロミラーで反射された光を遮ることなく、該光以外のＤＭＤ９で反射された不要な光を遮るように設けられている。マスク１２は、ＤＭＤ９とプロジェクションレンズ１０との間のマスク１１よりプロジェクションレンズ１０側でマスク１１から所定間隔で離間しかつプロジェクションレンズ１０に対して上方へずれた位置に、ＯＮ状態のマイクロミラーで反射された光を遮ることなく、マスク１１の下側のエッジ１１ｅで反射された光を遮るように設けられている。また、マスク１１は、プロジェクションレンズ１０の瞳位置Ｄ、即ちＤＭＤ９からプロジェクションレンズの瞳１０ａまでの距離の４分の１以内の間隔でＤＭＤ９から離間し、かつプロジェクションレンズ１０の瞳１０ａの下側（マスク１１、１２と反対側）のエッジ１０ｅと、マスク１２の下側（プロジェクションレンズ１０側）のエッジ１２ｅとを結ぶ直線Ｓより上方（マスク１２およびプロジェクションレンズ１０からずれて行く方向側、さらに言い換えると、ＯＦＦ状態のマイクロミラーやマイクロミラー以外の部分９ｂ、９ｃで反射した光がプロジェクションレンズ１０から外れる方向側）に配置されている。マスク１１は、本発明における第１のマスクの一実施形態を構成し、マスク１２は、本発明における第２のマスクの一実施形態を構成する。
【００２１】
図１に矢印で示すように、光源２から発せられた白色光は入光口４を通ってエンジンキャスケット３内に入射し、カラーホィール５のいずれかのカラーフィルタを透過して、赤色光、緑色光、青色光に分離される。そして、各色光は導光筒６に導かれ、プロジェクションレンズ１０の下側をくぐって、ミラー７で所定角度上向きに反射し、図２Ａ等に細い実線で示す光線Ｌａのようにリレーレンズ８に入射する。リレーレンズ８を透過した光は、光線ＬｂのようにＤＭＤ９のマイクロミラーに所定角度上向きに照射される。
【００２２】
その際、ＤＭＤ９のマイクロミラーがＯＮ状態にある場合は、照射された光が該マイクロミラーで、図２Ａに示す光線Ｌｎのように所定角度上向きに反射されて、プロジェクションレンズ１０に入射し、光線Ｌｃのようにスクリーン２０に投射される。このとき、マイクロミラーからの反射光線Ｌｎより上方にマスク１１、１２が配置されているため、ＯＮ状態のマイクロミラーからの反射光がマスク１１、１２に遮られることはない。
【００２３】
一方、ＤＭＤ９のマイクロミラーがＯＦＦ状態にある場合は、照射された光が該マイクロミラーで、図２Ｂに示す光線ＬｆのようにＯＮ状態の場合の反射光線Ｌｎ（図２Ａ）より大きな所定角度で上向きに反射されて、マスク１１、１２に遮られる。このため、ＯＦＦ状態のマイクロミラーからの反射光が、ＤＭＤ９とプロジェクションレンズ１０との間で発散しなくなり、プロジェクションレンズ１０へ入射しなくなる。
【００２４】
また、リレーレンズ８を透過した光は、ＤＭＤ９のマイクロミラー部分９ａ以外の部分、即ちカバーガラス９ｃやマイクロミラーの周囲部分９ｂでも反射する。この反射光は、図２Ｃに示す光線ＬｇのようにＯＮおよびＯＦＦ状態の場合の反射光線Ｌｎ、Ｌｆ（図２Ａ、図２Ｂ）より大きな所定角度で上向きに反射されて、ＤＭＤ９の近傍に設けられたマスク１１に遮られる。また、一部の反射光は、マスク１１の下側のエッジ１１ｅに当たって光線Ｌｅのように反射することがあるが、該反射光線Ｌｅはマスク１２に遮られる。このため、ＤＭＤ９のマイクロミラー部分９ａ以外からの反射光が、ＤＭＤ９とプロジェクションレンズ１０との間で発散しなくなり、プロジェクションレンズ１０へ入射しなくなる。
【００２５】
以上のようにすると、光源２から発せられてＤＭＤ９のカバーガラス９ｃやマイクロミラーの周囲部分９ｂといったマイクロミラー部分９ａ以外で反射した不要光が、プロジェクションレンズ１０の上方へ向かって行くので、該不要光をＤＭＤ９近傍のマスク１１で遮り、さらに該マスク１１のエッジ１１ｅで反射された光をマスク１２で遮って、該不要光のＤＭＤ９とプロジェクションレンズ１０との間での発散およびプロジェクションレンズ１０への入射を防止することができる。また、ＤＭＤ９のＯＦＦ状態のマイクロミラーで反射して上方へ向かって行く不要光をマスク１１、１２で遮って、該不要光のＤＭＤ９とプロジェクションレンズ１０との間での発散およびプロジェクションレンズ１０への入射を防止することができる。よって、光源２から発せられてＤＭＤ９のＯＮ状態のマイクロミラー以外で反射した不要光によって、投射映像のコントラストが低下するのを確実に抑制することが可能となる。また加えて、ＤＭＤ９のＯＮ状態のマイクロミラーで反射した光をマスク１１、１２で遮ることなく、プロジェクションレンズ１０へ確実に入射させることができるので、投射映像の品位が劣化するのを確実に回避することが可能となる。
【００２６】
また、マスク１１を、プロジェクションレンズ１０の下側のエッジ１０ｅとマスク１２の下側のエッジ１２ｅとを結ぶ直線Ｓより上方に配置しているので、ＤＭＤ９のＯＮ状態のマイクロミラーで反射した光をマスク１１で全く遮ることなく、プロジェクションレンズ１０へ入射させることができるとともに、マスク１１のエッジ１１ｅで反射された光をマスク１２で確実に遮って、ＤＭＤ９とプロジェクションレンズ１０の間での発散およびプロジェクションレンズ１０への入射をさせないようにすることができる。また、マスク１１を、プロジェクションレンズ１０の瞳位置Ｄの４分の１以内の間隔でＤＭＤ９と離間するようＤＭＤ９の近傍に配置しているので、ＤＭＤ９のＯＮ状態のマイクロミラー以外で反射した不要光を直ぐにマスク１１で遮って、確実に発散させないようにすることができる。
【００２７】
さらに、マスク１１、１２が耐候性、非透光性、および光吸収性を有しているので、光源２から発せられた光によりエンジンキャスケット３内が１００℃以上の高温になる等の悪環境になっても、マスク１１、１２が変形したり損傷したりすることはない。このため、ＤＭＤ９のＯＮ状態のマイクロミラー以外で反射した不要光をマスク１１、１２により、ＤＭＤ９とプロジェクションレンズ１０の間で発散させないように、またプロジェクションレンズ１０へ入射させないように、安定して遮断し続けることが可能となる。
【００２８】
本発明は、以上の実施形態以外にも種々の形態を採用することができる。例えば、以上の実施形態では、ＤＭＤ９のＯＦＦ状態のマイクロミラー以外で反射した不要光が、図２Ｂに示す光線Ｌｆのようにマスク１１、１２に直接当たるようにＤＭＤ９を配置した例を挙げているが、本発明はこれのみに限定するものではなく、上記不要光がマスク１１にのみ直接当たるようにＤＭＤ９を配置してもよい。この場合、マスク１１の下側のエッジ１１ｅで反射した光を遮るようにマスク１２を配置するのが好ましい。
【００２９】
また、以上の実施形態では、ＤＭＤ９のマイクロミラー部分９ａ以外の部分９ｂ、９ｃで反射した不要光が、図２Ｃに示す光線Ｌｇのようにマスク１１に直接当たるようにマスク１１、１２を配置した例を挙げているが、本発明はこれのみに限定するものではなく、上記不要光がマスク１１とマスク１２に分かれて直接当たるようにマスク１１、１２を配置してもよい。この場合、上記不要光がマスク１２の下側のエッジ１２ｅに当たる可能性はマスク１１のエッジ１１ｅより低いが、上記不要光がエッジ１２ｅに当たらないようにマスク１２を配置するのがより好ましい。
【００３０】
さらに、以上の実施形態では、ＤＭＤ９とプロジェクションレンズ１０との間に２つのマスク１１、１２を設けた例を挙げているが、本発明はこれのみに限定するものではなく、３つ以上のマスクを配置するようにしてもよい。
【図面の簡単な説明】
【００３１】
【図１】本発明の実施形態に係るプロジェクタの概略構造を示す図である。
【図２Ａ】同プロジェクタの要部を示す図である。
【図２Ｂ】同プロジェクタの要部を示す図である。
【図２Ｃ】同プロジェクタの要部を示す図である。
【図３】従来のプロジェクタの概略構造を示す図である。
【符号の説明】
【００３２】
２  光源
５  カラーホィール
９  ＤＭＤ
１０  プロジェクションレンズ
１０ａ  プロジェクションレンズの瞳
１０ｅ  プロジェクションレンズのエッジ
１１  マスク
１１ｅ  マスクのエッジ
１２  マスク
１２ｅ  マスクのエッジ
２０  スクリーン
１００  プロジェクタ
Ｄ  プロジェクションレンズの瞳位置
Ｓ  直線
【図１】
2007171813.tif 000003
【図２Ａ】
2007171813.tif 000004
【図２Ｂ】
2007171813.tif 000005
【図２Ｃ】
2007171813.tif 000006
【図３】
2007171813.tif 000007